(57)【特許請求の範囲】
【請求項１】
下部に水道水（Ｗ）の流入口（８ａ）及び流出口（９ａ）を有する有底筒状の容器本体（３）と、容器本体（３）の上端部に着脱自在に接続され、容器本体（３）の上方開口部を開閉するキャップ（４）と、容器本体（３）とキャップ（４）の接続部に嵌め込まれ、容器本体（３）とキャップ（４）との間をシールするシールリング（５）と、下端部が容器本体（３）の内周面に、又、上端部がキャップ（４）の内周面に夫々密接する状態で着脱自在に嵌合され、シールリング（５）に接触してシールリング（５）が逃げるのを防止する内筒（６）とから成り、前記容器本体（３）とキャップ（４）との間の空間に水道水（Ｗ）を浄化するカートリッジ（２）を収容するようにした家庭用浄水器の容器であって、前記容器本体（３）とキャップ（４）の接続部は、容器本体（３）の上端部に形成したフランジ部（３ｄ）と、キャップ（４）の下端部に形成され、容器本体（３）のフランジ部（３ｄ）に対向するフランジ部（４ｄ）と、容器本体（３）のフランジ部（３ｄ）とキャップ（４）のフランジ部（４ｄ）との間に嵌め込まれ、前記両フランジ部（３ｄ），（４ｄ）の内面に夫々密接するシールリング（５）と、下端部が容器本体（３）の内周面に、又、上端部がキャップ（４）の内周面に夫々密接する状態で着脱自在に嵌合され、前記フランジ部（３ｄ），（４ｄ）間のシールリング（５）に接触する内筒（６）と、容器本体（３）のフランジ部（３ｄ）及びキャップ（４）のフランジ部（４ｄ）に嵌め込まれ、両フランジ部（３ｄ），（４ｄ）を締め付け固定する半割り構造の環状のクランプ（７）とから成り、当該接続部を容器本体（３）及びキャップ（４）の内周面に嵌合した内筒（６）によって、強化するようにしたことを特徴とする家庭用浄水器の容器。
【請求項２】
内筒（６）の下端部外周面と容器本体（３）の内周面との間をシールリング（１５）によりシールすると共に、内筒（６）の上端部外周面とキャップ（４）の内周面との間をシールリング（１５）によりシールするようにしたことを特徴とする請求項１に記載の家庭用浄水器の容器。
【請求項３】
少なくとも容器本体（３）、キャップ（４）及び内筒（６）を夫々ステンレス材により形成したことを特徴とする請求項１又は請求項２に記載の家庭用浄水器の容器。
【請求項４】
少なくとも容器本体（３）、キャップ（４）及び内筒（６）を夫々ポリカーボネート又は硬質塩化ビニル樹脂により形成したことを特徴とする請求項１又は請求項２に記載の家庭用浄水器の容器。
【発明の詳細な説明】
【技術分野】
【０００１】
本発明は、主に個人住宅やマンション等の水道管の途中（例えば、水道メーターの下流側に位置する水道管）や台所の蛇口等に取り付けられて飲料用や調理用、洗面用、風呂用等に用いる水道水を浄化処理する家庭用浄水器に用いられるものであり、水道水に含まれている塩素や有機物等の有害物質を除去して水道水を浄化処理するカートリッジを収容する家庭用浄水器の容器の改良に関するものである。
【背景技術】
【０００２】
近年、公共の水道水の水質の悪化が問題となっている。これは、水道水の原水そのものの水質が悪化しており、それに伴って浄水場に於いて、酸化剤や滅菌剤として塩素を多量に注入する必要が生じているからである。
水質自体が悪化したり、水道水に多量の塩素が含まれていると、味が悪くなったり、異臭がしたり、更には人体の健康上の点からも好ましくない。そのため、各家庭に於いては、水道水を浄化処理する浄水器が使用されることが多くなって来ている。この家庭用浄水器は、水道メーターの下流側に位置する水道管や台所の蛇口等に取り付けられているのが一般的である。
【０００３】
従来、この種の家庭用浄水器としては、例えば、一般家庭等の水道メーターの下流側に位置する水道管に介設されて給湯器や台所、浴室、洗面所等で使用する全ての水道水をまとめて浄化処理するようにした浄水器が知られている（例えば、特許文献１参照）。
【０００４】
即ち、前記家庭用浄水器は、図示していないが、水道水の流入口及び浄化された水道水の流出口を形成した開閉可能な密閉状の容器と、容器内に着脱自在に内蔵され、濁度フィルター、繊維状活性炭フィルター及びセラミックスフィルター等から成るカートリッジとから構成されており、容器の流入口及び流出口が水道メーターの下流側に位置する水道管に夫々連通状に接続されている。
又、密閉状の容器は、水道水の流入口及び流出口を形成した基盤部と、基盤部の上面側に取り付けた筒状のケーシングと、ケーシングの上端部に取り付けたヘッドキャップとから構成されており、容器内に内蔵したカートリッジを交換できるようにヘッドキャップがケーシングに対して着脱自在となっている。
【０００５】
而して、前記家庭用浄水器によれば、水道メーターを通った水道水が全て浄水器内に流入し、ここで浄化処理されてから水道管に分岐状に接続された複数の分岐管を介して給湯器、台所、浴室、洗面所等へ夫々供給されることになり、家庭内で使用する全ての水道水を浄化処理することができる。
【０００６】
しかし、上述した家庭用浄水器に於いては、密閉状の容器を基盤部とケーシングとヘッドキャップとに三分割し、基盤部とケーシング及びケーシングとヘッドキャップを夫々複数本のボルトで締め付け、基盤部とケーシングとの間及びケーシングとヘッドキャップとの間を夫々シールするようにしているため、容器自体のシール個所が多くなって容器内の水道水が外部へ漏れ易くなると共に、容器を組み立てる際やヘッドキャップを取り外す際（カートリッジの交換時）に極めて手数が掛かると云う問題があった。
又、ケーシングとヘッドキャップとの間をＯリングによりシールようにしているため、ケーシングの上端部に設けたフランジの上面にＯリングが嵌め込まれる環状のＯリング溝を形成しなければならず、容器の主要部を構成する部品（この場合にはケーシング）の加工に手数が掛かると云う問題もあった。
【特許文献１】特開２００２−５９１５３号公報
【発明の開示】
【発明が解決しようとする課題】
【０００７】
本発明は、このような問題点に鑑みて為されたものであり、その目的はカートリッジを収容する容器のシール性の向上及び組立の簡略化を図れると共に、カートリッジの交換や容器の主要部を構成する部品の加工を簡単に行えるようにした家庭用浄水器の容器を提供することにある。
【課題を解決するための手段】
【０００８】
上記目的を達成する為に、本発明の請求項１の発明は、下部に水道水の流入口及び流出口を有する有底筒状の容器本体と、容器本体の上端部に着脱自在に接続され、容器本体の上方開口部を開閉するキャップと、容器本体とキャップの接続部に嵌め込まれ、容器本体とキャップとの間をシールするシールリングと、下端部が容器本体の内周面に、又、上端部がキャップの内周面に夫々密接する状態で着脱自在に嵌合され、シールリングに接触してシールリングが逃げるのを防止する内筒とから成り、前記容器本体とキャップとの間の空間に水道水を浄化するカートリッジを収容するようにした家庭用浄水器の容器であって、前記容器本体とキャップの接続部が、容器本体の上端部に形成したフランジ部と、キャップの下端部に形成され、容器本体のフランジ部に対向するフランジ部と、容器本体のフランジ部とキャップのフランジ部との間に嵌め込まれ、前記両フランジ部の内面に夫々密接するシールリングと、下端部が容器本体の内周面に、又、上端部がキャップの内周面に夫々密接する状態で着脱自在に嵌合され、前記フランジ部間のシールリングに接触する内筒と、容器本体のフランジ部及びキャップのフランジ部に嵌め込まれ、両フランジ部を締め付け固定する半割り構造の環状のクランプとから成り、当該接続部を容器本体及びキャップの内周面に嵌合した内筒によって、強化するようにしたことに特徴がある。
【００１０】
本発明の請求項２の発明は、請求項１の発明に於いて、内筒の下端部外周面と容器本体の内周面との間をシールリングによりシールすると共に、内筒の上端部外周面とキャップの内周面との間をシールリングによりシールするようにしたことに特徴がある。
【００１１】
本発明の請求項３の発明は、請求項１又は請求項２の発明に於いて、少なくとも容器本体、キャップ及び内筒を夫々ステンレス材により形成したしたことに特徴がある。
【００１２】
本発明の請求項４の発明は、請求項１又は請求項２の発明に於いて、少なくとも容器本体、キャップ及び内筒を夫々ポリカーボネート又は硬質塩化ビニル樹脂により形成したしたことに特徴がある。
【発明の効果】
【００１３】
本発明の家庭用浄水器の容器は、水道水の流入口及び流出口を有する有底筒状の容器本体と、容器本体の上端部に着脱自在に接続され、容器本体の上方開口部を開閉するキャップと、容器本体とキャップの接続部に嵌め込まれ、容器本体とキャップとの間をシールするシールリングと、下端部が容器本体の内周面に、又、上端部がキャップの内周面に夫々密接状態で着脱自在に嵌合され、シールリングに接触してシールリングが逃げるのを防止する内筒とから構成されているため、容器のシール個所が容器本体とキャップとの間の一個所だけになると共に、容器本体及びキャップの内周面に密接する状態で嵌合された内筒によって、容器本体とキャップの接続部（シール個所）が強化された格好になる。その結果、本発明の家庭用浄水器の容器は、容器の内部から外部への水漏れを完全に防止することができ、シール性の大幅な向上を図れる。
又、本発明の家庭用浄水器の容器は、容器のシール個所が容器本体とキャップとの間の一個所だけになっているうえ、容器本体に形成したフランジ部とキャップに形成したフランジ部とを半割り構造の環状のクランプで締め付け固定するようにしているため、容器を組み立てる際にその組立を簡単且つ容易に行える。然も、カートリッジの交換時には、キャップの取り外し及び取り付けを簡単に行え、カートリッジの交換も簡単且つ容易に行える。
更に、本発明の家庭用浄水器の容器は、容器本体のフランジ部とキャップのフランジ部と内筒との間にシールリングを嵌め込むようにしているため、容器の主要部を構成する容器本体及びキャップにはシールリングを嵌め込むための環状の溝を形成する必要もなく、容器本体及びキャップの加工を簡単に行える。
そのうえ、本発明の家庭用浄水器の容器は、容器本体とキャップを組み立てる際に内筒がガイドの役目を果たすことになり、容器本体とキャップとを正確な状態で簡単且つ容易に組み立てることができる。
加えて、本発明の家庭用浄水器の容器は、内筒の下端部外周面と容器本体の内周面との間及び内筒の上端部外周面とキャップの内周面との間を夫々シールリングによりシールするようにしているため、例えば、クランプの締め付け力が弱くてフランジ部間のシールリングの締め付けが不完全であっても、容器本体とキャップとの間から内部の水道水が外部へ漏れると云うことがなく、シール性に優れたより安全な容器となる。然も、内筒とキャップとの間及び内筒と容器本体との間が夫々シールリングによりシールされているため、フランジ部間のシールリングを省略することも可能となる。
【発明を実施するための最良の形態】
【００１４】
以下、本発明の実施の形態を図面に基づいて詳細に説明する。
図１は本発明の第１の実施形態に係る容器１を用いた家庭用浄水器を示し、当該家庭用浄水器は、個人住宅やマンション等の水道メーターの下流側の水道管（図示省略）や台所の蛇口（図示省略）等に取り付けられており、飲料用や調理用、洗面用、風呂用等に用いる水道水Ｗを浄化処理するようにしたものである。
【００１５】
即ち、前記家庭用浄水器は、水道管や蛇口等に接続される開閉可能な密閉状の容器１と、容器１内に着脱自在に収容されて塩素や有機物等の有害物質を除去するフィルター１１を備えたカートリッジ２とから構成されており、カートリッジ２が交換可能な縦型の浄水器となっている。
【００１６】
前記容器１は、図１に示す如く、下部に水道水Ｗの流入口８ａ及び流出口９ａを有する有底筒状の容器本体３と、容器本体３の上端部に着脱自在に接続され、容器本体３の上方開口部を開閉するキャップ４と、容器本体３とキャップ４の接続部に嵌め込まれ、容器本体３とキャップ４との間をシールするシールリング５と、下端部が容器本体３の内周面に、又、上端部がキャップ４の内周面に夫々密接状態で着脱自在に嵌合され、シールリング５に接触してシールリング５が逃げるのを防止する内筒６と、容器本体３とキャップ４の接続部を締め付け固定する半割り構造の環状のクランプ７とから構成されており、容器本体３とキャップ４の接続部をシールリング５によりシールすると共に、前記接続部を内筒６により強化するようにしたものである。
又、容器本体３とキャップ４の接続部は、容器本体３の上端部に形成したフランジ部３ｄと、キャップ４の下端部に形成され、容器本体３のフランジ部３ｄに対向するフランジ部４ｄと、容器本体３のフランジ部３ｄとキャップ４のフランジ部４ｄとの間に嵌め込まれ、両フランジ部３ｄ，４ｄの内面に夫々密接するシールリング５と、容器本体３の内周面及びキャップ４の内周面に密接する状態で着脱自在に嵌合され、シールリング５に接触する内筒６と、容器本体３のフランジ部３ｄ及びキャップ４のフランジ部４ｄに嵌め込まれ、両フランジ部３ｄ，４ｄを締め付け固定する半割り構造の環状のクランプ７とから成り、容器本体３の内周面及びキャップ４の内周面に嵌合した内筒６によって、強化された格好になっている。
【００１７】
具体的には、容器本体３は、図１に示す如く、耐食性及び耐熱性等に優れたステンレス材により段付きの有底筒状に形成されており、円板状の底部３ａと、底部３ａの外周縁部に連設された上向きの筒状の小径部３ｂと、小径部３ｂの上端部に連設されて小径部３ｂよりも大径に形成された筒状の大径部３ｃと、大径部３ｃの上端部に連設されたフランジ部３ｄとから成る。
又、容器本体３の小径部３ｂの下端部周壁には、水道水Ｗの流入口８ａを形成する直管状の入口側配管８と水道水Ｗの流出口９ａを形成する略Ｌ字形の出口側配管９とが夫々気密状に挿通固定されている。これら入口側配管８及び出口側配管９の先端部は、ユニオンナット（図示省略）を介して水道管に夫々接続されている。又、出口側配管９の基端部は、容器本体３の底部空間に鉛直姿勢で配置されており、水道水Ｗの流出口９ａに連通してカートリッジ２を鉛直姿勢で着脱自在に支持する筒状の支持部９ｂとなっている。
更に、容器本体３のフランジ部３ｄは、キャップ４との接続部を構成するものであり、外方へ上向き傾斜姿勢で突設する環状部３ｄ′と、この環状部３ｄ′に連設された上向きの環状の突出部３ｄ″とから成る。
【００１８】
キャップ４は、図１に示す如く、耐食性及び耐熱性等に優れたステンレス材により上端部が閉塞された段付きの筒状に形成されており、円板状の天井部４ａと、天井部４ａの外周縁部に連設された下向きの筒状の小径部４ｂと、小径部４ｂの下端部に連設されて小径部４ｂよりも大径に形成された下向きの筒状の大径部４ｃと、大径部４ｃの下端部に連設されて容器本体３のフランジ部３ｄに着脱自在に嵌合されるフランジ部４ｄとから成る。
又、キャップ４のフランジ部４ｄは、容器本体３との接続部を構成するものであり、外方へ下向き傾斜姿勢で突設して容器本体３のフランジ部３ｄの環状部３ｄ′に対向する環状部４ｄ′と、この環状部４ｄ′に連設されて容器本体３の突出部３ｄ″の外周面に密接状態で着脱自在に嵌合される下向きの環状の突出部４ｄ″とから成る。
尚、キャップ４の天井部４ａには、キャップ４内に溜まる空気を外部へ逃がす空気抜き弁１０が設けられている。
又、キャップ４の大径部４ｃの内径は、容器本体３の大径部３ｃの内径と同じ寸法に形成されている。
【００１９】
シールリング５は、図１に示す如く、対向せしめた容器本体３のフランジ部３ｄとキャップ４のフランジ部４ｄとの間に嵌め込まれており、両フランジ部３ｄ，４ｄの内面に密接して両フランジ部３ｄ，４ｄ間をシールするものである。このシールリング５には、従来公知のゴム製のＯリングが使用されている。
【００２０】
内筒６は、図１に示す如く、耐食性及び耐熱性等に優れたステンレス材により円筒状に形成されており、下端部が容器本体３の大径部３ｃの内周面に、又、上端部がキャップ４の大径部４ｃの内周面に夫々密接する状態で着脱自在に嵌合されている。この内筒６は、シールリング５に接触してシールリング５が逃げるのを防止すると共に、容器本体３とキャップ４の接続部を強化する役目を果たすものである。又、内筒６は、容器本体３とキャップ４とを組み立てる際にガイドとしての機能を発揮するものである。
【００２１】
クランプ７は、図１に示す如く、容器本体３のフランジ部３ｄ及びキャップ４のフランジ部４ｄに密接する状態で嵌め込まれ、両フランジ部３ｄ，４ｄを締め付け固定するものであり、図２（Ａ）及び（Ｂ）に示す如く、断面形状が略コの字形の環状部材を半割りにすることにより形成されたステンレス材製の二つの円弧状部材７ａと、二つの円弧状部材７ａの一端部同士を回動自在に連結する連結軸７ｂと、二つの円弧状部材５ａの他端部に夫々形成された重合自在な締め付け片７ｃと、両締め付け片７ｃを連結固定するボルト７ｄ・ナット７ｅとから成る。
そして、このクランプ７は、対向せしめた容器本体３のフランジ部３ｄ及びキャップ４のフランジ部４ｄに二つの円弧状部材７ａを密接する状態で嵌め込み、両円弧状部材７ａの締め付け片７ｃ同士を重ね合わせて両者をボルト７ｄ・ナット７ｅで連結固定することによって、容器本体３のフランジ部３ｄとキャップ４のフランジ部４ｄを締め付け固定することができる。このとき、クランプ７は、断面形状が略コの字形の二つの円弧状部材７ａを容器本体３の上向き傾斜姿勢の環状部３ｄ′を備えたフランジ部３ｄとキャップ４の下向き傾斜姿勢の環状部４ｄ′を備えたフランジ部４ｄとに密接する状態で嵌め込んで締め付けているため、両フランジ部３ｄ，４ｄの環状部３ｄ′，４ｄ′が二つの円弧状部材７ａ内で楔の役目を果たし、容器本体３のフランジ部３ｄとキャップ４のフランジ部４ｄとがより強固に締め付けられることになり、シールリング５の締め付けを確実且つ良好に行える。その結果、容器１のシール性がより向上することになる。
【００２２】
一方、前記カートリッジ２は、図１に示す如く、水道水Ｗが半径方向へ流通して水道水Ｗに含まれている塩素やトリハロメタン等の有害物質を除去する中空円筒状のフィルター１１と、フィルター１１の上端部を支持する円板状の上部支持板１２と、容器本体３の支持部９ｂに着脱自在に挿入支持され、フィルター１１の下端部を支持する下部支持板１３とから構成されており、下部支持板１３の中心部に容器本体３の支持部９ｂに着脱自在に挿入支持される筒状の挿入部１３ａを下向きに突出形成し、当該挿入部１３ａを容器本体３の支持部９ｂに挿入することによって、容器本体３内に縦向き姿勢で支持されている。この挿入部１３ａの外周面には、Ｏリング１４が嵌め込まれる環状のＯリング溝１３ｂが形成されている。
又、フィルター１１は、活性コークス炭を繊維状にして円筒状に固化した繊維状活性炭フィルターから成る。この繊維状活性炭フィルターは、粒状活性炭と比較して同体積で１０倍以上の塩素除去力を持ち、流量も大きくて処理推量も３倍以上である。
【００２３】
次に、上述した構造の家庭用浄水器を一般家庭で使用する場合について説明する。
前記家庭用浄水器は、例えば、一般家庭の水道メーターの二次側の水道管（図示省略）に介設されており、容器１の入口側配管８（流入口８ａ）には水道メーターに接続された水道管の一端部が接続され、又、容器１の出口側配管９（流出口９ａ）には家庭内の水道蛇口や給湯器等の末端の水道機器に水道水Ｗを夫々供給する分岐状の水道管の基端部が接続されている。
【００２４】
水道本管から水道メーター及び水道管を経て容器１の流入口８ａに流入した水道水Ｗは、流入口８ａから容器１内に流入し、容器本体３とフィルター１１との間に形成された環状の空間内を上方へ流れると共に、徐々にフィルター１１を通過してフィルター１１の中空部分に流入する。このとき、水道水Ｗに含まれている塩素等の有害物質がフィルター１１により除去される。
フィルター１１の中空部分に達した浄化された水道水Ｗは、フィルター１１の中空部分を下向きに流れて下部支持板１３の筒状の挿入部１３ａから流出口９ａへ流出し、流出口９ａから分岐状の水道管を通って建物内へ送られ、飲料用や調理用、洗面用、風呂用用等の水として使用される。
【００２５】
上述した家庭用浄水器の容器１は、容器１のシール個所が容器本体３とキャップ４との間の一個所だけになっていると共に、容器本体３とキャップ４の接続部（シール個所）が内筒６によって、強化された格好になっているため、容器１の内部から外部への水漏れを完全に防止することができる。
又、この家庭用浄水器の容器１は、容器１のシール個所が容器本体３とキャップ４との間の一個所だけになっているうえ、容器本体３のフランジ部３ｄとキャップ４のフランジ部４ｄとを半割り構造の環状のクランプ７で締め付け固定するようにしているため、容器１を組み立てる際に容器１自体の組立を簡単且つ容易に行える。然も、カートリッジ２の交換時にキャップ４の取り外し及び取り付けを簡単に行え、カートリッジ２の交換も簡単且つ容易に行える。
更に、この家庭用浄水器の容器１は、容器本体３のフランジ部３ｄとキャップ４のフランジ部４ｄと内筒６との間にシールリング５を嵌め込むようにしているため、容器１の主要部を構成する容器本体３及びキャップ４にシールリング５を嵌め込むための環状の溝を形成する必要もなく、容器本体３及びキャップ４の加工を簡単に行える。
そのうえ、この家庭用浄水器の容器１は、容器本体３の内周面及びキャップ４の内周面に密接する状態で嵌め込まれる内筒６を備えているため、容器本体３とキャップ４を組み立てる際に内筒６がガイドの役目を果たすことになり、容器本体３とキャップ４とを正確な状態で簡単且つ容易に組み立てることができる。
加えて、この家庭用浄水器の容器１は、容器本体３のフランジ部３ｄが上向き傾斜姿勢の環状部３ｄ′を備えていると共に、キャップ４のフランジ部４ｄが下向き傾斜姿勢の環状部４ｄ′を備えているため、容器本体３のフランジ部３ｄとキャップ４のフランジ部４ｄを対向せしめて両フランジ部３ｄ，４ｄに断面形状が略コの字形の二つの円弧状部材７ａを密接する状態で嵌め込んで締め付けたときに、両フランジ部３ｄ，４ｄの環状部３ｄ′，４ｄ′が二つの円弧状部材７ａ内で楔の役目を果たし、容器本体３のフランジ部３ｄとキャップ４のフランジ部４ｄとがより強固に締め付けられることになり、シール性の向上を図れる。
【００２６】
図３は本発明の第２の実施形態に係る容器１を示し、当該容器１に於いては、容器本体３のフランジ部３ｄが外方へ上向き傾斜姿勢で突設する環状部３ｄ′から成り、又、キャップ４のフランジ部４ｄが外方へ下向き傾斜姿勢で突設して容器本体３の環状部３ｄ′に対向する環状部４ｄ′から成り、対向せしめた容器本体３のフランジ部３ｄとキャップ４のフランジ部４ｄとの間にシールリング５を密接する状態で嵌め込み、容器本体３のフランジ部３ｄとキャップ４のフランジ部４ｄを半割り構造の環状のクランプ７で締め付け固定するようにしたものである。
この容器１は、容器本体３とキャップ４の接続部の構造（容器本体３のフランジ部３ｄとキャップ４のフランジ部４ｄの形状）を変えたこと以外は、図１に示す容器１（第１の実施形態に係る容器１）と同様構造に構成されており、図１に示す容器１と同じ部位・部材には同一の参照番号を付し、その詳細な説明を省略する。
この容器１も、上述した第１の実施形態に係る容器１（図１に示す容器１）と同様の作用効果を奏することができる。
【００２７】
図４は本発明の第３の実施形態に係る容器１を示し、当該容器１に於いては、容器本体３のフランジ部３ｄが、外方へ上向き傾斜姿勢で突設する環状部３ｄ′と、この環状部３ｄ′に連設された上向きの環状の突出部３ｄ″とから成り、又、キャップ４のフランジ部４ｄが、外方へ下向き傾斜姿勢で突設して容器本体３の環状部３ｄ′に対向する環状部４ｄ′から成り、対向せしめた容器本体３のフランジ部３ｄとキャップ４のフランジ部４ｄとの間にシールリング５を密接する状態で嵌め込み、容器本体３のフランジ部３ｄとキャップ４のフランジ部４ｄを半割り構造の環状のクランプ７で締め付け固定するようにしたものである。
この容器１も、容器本体３とキャップ４の接続部の構造（容器本体３のフランジ部３ｄとキャップ４のフランジ部４ｄの形状）を変えたこと以外は、図１に示す容器１（第１の実施形態に係る容器１）と同様構造に構成されており、図１に示す容器１と同じ部位・部材には同一の参照番号を付し、その詳細な説明を省略する。
この容器１も、上述した第１の実施形態に係る容器１（図１に示す容器１）と同様の作用効果を奏することができる。
【００２８】
図５は本発明の第４の実施形態に係る容器１を示し、当該容器１に於いては、容器本体３のフランジ部３ｄが、外向きに突設して二重に折り畳まれた環状部３ｄ′から成り、又、キャップ４のフランジ部４ｄが、外向きに突設して容器本体３の環状部３ｄ′に対向する二重に折り畳まれた環状部４ｄ′から成り、対向せしめた容器本体３のフランジ部３ｄとキャップ４のフランジ部４ｄとの間にシールリング５を密接する状態で嵌め込み、容器本体３のフランジ部３ｄとキャップ４のフランジ部４ｄを半割り構造の環状のクランプ７で締め付け固定するようにしたものである。
この容器１も、容器本体３とキャップ４の接続部の構造（容器本体３のフランジ部３ｄとキャップ４のフランジ部４ｄの形状）を変えたこと以外は、図１に示す容器１（第１の実施形態に係る容器１）と同様構造に構成されており、図１に示す容器１と同じ部位・部材には同一の参照番号を付し、その詳細な説明を省略する。
この容器１も、上述した第１の実施形態に係る容器１（図１に示す容器１）と同様の作用効果を奏することができる。
【００２９】
図６は本発明の第５の実施形態に係る容器１を示し、当該容器１に於いては、容器本体３と容器本体３の内周面に嵌合された内筒６の下端部との間をシールリング１５によりシールすると共に、キャップ４とキャップ４の内周面に嵌合された内筒６の上端部との間をシールリング１５によりシールするようにしたものである。
即ち、前記容器１に於いては、内筒６が、耐食性及び耐熱性等に優れたステンレス材により円筒状に形成されており、容器本体３の大径部３ｃの内周面に嵌合される内筒６の下端部外周面には、シールリング１５が嵌め込まれる環状のシールリング溝６ａが形成されていると共に、キャップ４の大径部４ｃの内周面に嵌め込まれる内筒６の上端部外周面には、シールリング１５が嵌め込まれる環状のシールリング溝６ａが形成されている。この内筒６の各シールリング溝６ａに嵌め込まれるシールリング１５には、従来公知のゴム製のＯリングが使用されている。
そして、この容器１に於いては、内筒６の下端部がシールリング溝６ａにシールリング１５を嵌め込んだ状態で容器本体３の大径部３ｃの内周面に着脱自在に嵌合されていると共に、内筒６の上端部がシールリング溝６ａにシールリング１５を嵌め込んだ状態でキャップ４の大径部４ｃの内周面に着脱自在に嵌合されており、内筒６の下端部外周面と容器本体３の大径部３ｃの内周面との間及び内筒６の上端部外周面とキャップ４の大径部４ｃの内周面との間が夫々シールリング１５によりシールされている。
この容器１は、内筒６の下端部外周面と容器本体３の内周面との間及び内筒６の上端部外周面とキャップ４の内周面との間を夫々シールリング１５によりシールしたこと以外は、図１に示す容器１（第１の実施形態に係る容器１）と同様構造に構成されており、図１に示す容器１と同じ部位・部材には同一の参照番号を付し、その詳細な説明を省略する。
この容器１も、上述した第１の実施形態に係る容器１（図１に示す容器１）と同様の作用効果を奏することができる。特に、この容器１は、内筒６の下端部外周面と容器本体３の内周面との間及び内筒６の上端部外周面とキャップ４の内周面との間を夫々シールリング１５によりシールするようにしているため、例えば、クランプ７の締め付け力が弱くて容器本体３のフランジ部３ｄとキャップ４のフランジ部４ｄとの間に嵌め込んだシールリング５の締め付けが不完全であっても、容器本体３とキャップ４との間から内部の水道水が外部へ漏れると云うことがなく、シール性に優れたより安全な容器となる。然も、内筒６と容器本体３との間及び内筒６とキャップ４との間がシールリング１５により夫々シールされているため、これらのシールリング１５が完全に機能しておれば、容器本体３のフランジ部３ｄとキャップ４のフランジ部４ｄとの間に嵌め込んだシールリング５を省略することも可能となる。
【００３０】
図７（Ａ）、図７（Ｂ）及び図７（Ｃ）は本発明の第６〜第８の実施形態に係る容器１の要部を示すものであり、各容器１に於いては、容器本体３のフランジ部３ｄとキャップ４のフランジ部４ｄの形状を夫々変え、容器本体３と容器本体３の内周面に嵌合された内筒６の下端部との間をシールリング１５によりシールすると共に、キャップ４とキャップ４の内周面に嵌合された内筒６の上端部との間をシールリング１５によりシールするようにしたものである。
即ち、図７（Ａ）に示す容器１に於いては、容器本体３のフランジ部３ｄとキャップ４のフランジ部４ｄの形状を図３に示す容器１のフランジ部３ｄ，４ｄと同じ形状にし、内筒６の下端部外周面と容器本体３の大径部３ｃの内周面との間及び内筒６の上端部外周面とキャップ４の大径部４ｃの内周面との間を夫々シールリング１５によりシールするようにしたものである。
又、図７（Ｂ）に示す容器１に於いては、容器本体３のフランジ部３ｄとキャップ４のフランジ部４ｄの形状を図４に示す容器１のフランジ部３ｄ，４ｄと同じ形状にし、内筒６の下端部外周面と容器本体３の大径部３ｃの内周面との間及び内筒６の上端部外周面とキャップ４の大径部４ｃの内周面との間を夫々シールリング１５によりシールするようにしたものである。
更に、図７（Ｃ）に示す容器１に於いては、容器本体３のフランジ部３ｄとキャップ４のフランジ部４ｄの形状を図５に示す容器１のフランジ部３ｄ，４ｄと同じ形状にし、内筒６の下端部外周面と容器本体３の大径部３ｃの内周面との間及び内筒６の上端部外周面とキャップ４の大径部４ｃの内周面との間を夫々シールリング１５によりシールするようにしたものである。
これら各容器１は、上述した第５の実施形態に係る容器１（図６に示す容器１）と同様の作用効果を奏することができる。
【００３１】
尚、上記の各実施形態に於いては、容器１を構成する容器本体３、キャップ４及び内筒６等の各部品を夫々ステンレス材により形成するようにしたが、他の実施形態に於いては、容器１を構成する容器本体３、キャップ４及び内筒６等の各部品を耐衝撃性、耐熱性、耐寒性、高い断熱性、難燃性、高透明性等に優れたポリカーボネート又は耐薬品性、耐候性、難燃性等に優れた硬質塩化ビニル樹脂により夫々形成するようにしても良い。
【００３２】
上記の第５〜第８の実施形態に於いては、内筒６の上端部外周面及び下端部外周面にシールリング１５が嵌め込まれるシールリング溝６ａを夫々一つだけ形成するようにしたが、他の実施の形態に於いては、内筒６の上端部外周面及び下端部外周面にシールリング１５が嵌め込まれるシールリング溝６ａを夫々複数列形成し、各シールリング溝６ａにシールリング１５を夫々嵌め込むようにしても良い。
【００３３】
上記の各実施形態に於いては、フィルター１１には繊維状活性炭フィルターを使用するようにしたが、他の実施形態に於いては、フィルター１１には、粒状活性炭フィルター、セラミックフィルター、綿糸やポリプロピレン製の糸、逆浸透膜、中空糸等から形成したフィルターを使用しても良く、或いはこれらを組み合せたフィルターを使用するようにしても良い
【図面の簡単な説明】
【００３４】
【図１】本発明の第１の実施形態に係る容器を用いた家庭用浄水器の概略縦断面図である。
【図２】容器本体とキャップを締め付け固定するクランプを示し、（Ａ）はクランプの平面図、（Ｂ）はクランプの側面図である。
【図３】本発明の第２の実施形態に係る容器を用いた家庭用浄水器の概略縦断面図である。
【図４】本発明の第３の実施形態に係る容器を用いた家庭用浄水器の概略縦断面図である。
【図５】本発明の第４の実施形態に係る容器を用いた家庭用浄水器の概略縦断面図である。
【図６】本発明の第５の実施形態に係る容器を用いた家庭用浄水器の概略縦断面図である。
【図７】本発明の第６〜第８の実施形態に係る容器を用いた家庭用浄水器を示し、（Ａ）は本発明の第６の実施形態に係る容器を用いた家庭用浄水器の要部の概略縦断面図、（Ｂ）は本発明の第７の実施形態に係る容器を用いた家庭用浄水器の要部の概略縦断面図、（Ｃ）は本発明の第８の実施形態に係る容器を用いた家庭用浄水器の要部の概略縦断面図である。
【符号の説明】
【００３５】
１は家庭用浄水器の容器、２はカートリッジ、３は容器本体、３ｄは容器本体のフランジ部、４はキャップ、４ｄはキャップのフランジ部、５はシールリング、６は内筒、７はクランプ、８ａは流入口、９ａは流出口、１５はシールリング。
【図１】
0004441476.tif 000002
【図２】
0004441476.tif 000003
【図３】
0004441476.tif 000004
【図４】
0004441476.tif 000005
【図５】
0004441476.tif 000006
【図６】
0004441476.tif 000007
【図７】
0004441476.tif 000008